(57)【特許請求の範囲】
【請求項１】
軸方向に延びる環状部とこの環状部から半径方向内側に延びるフランジ部とからなる金属製の補強環と、内周側にシールリップを有し、前記補強環の環状部を覆うように一体に成形されたゴム様弾性材料からなるシール部と、前記補強環のフランジ部の外側側面にのみ形成された内外径方向に連通する溝のみを通して前記シール部と一体に成形されたダストリップと、前記補強環のフランジ部の内側側面と前記シール部のシールリップとの間に配置されたバックアップリングとを備え、フランジ部の前記溝にゴム様弾性材料が充填されるとともに、フランジ部の外側側面の、前記溝以外の部分はフランジ部の金属が露出しているバックアップリング付きオイルシール。
【発明の詳細な説明】
【０００１】
【発明の属する技術分野】
本発明は、シールリップに加わる内部からの圧力を受け止めるバックアップリングと、外部からの塵埃等の侵入を防止するためのダストリップとを備えた耐圧性のバックアップリング付きオイルシールに関する。
【０００２】
【従来の技術】
バックアップリング付きのオイルシールとは、例えば図３に示すように、オイルシール１０１のシール部１０２に形成されたシールリップ１０３と、補強環１０４のフランジ部１０５の内側側面１０５ａとの間にバックアップリング１０７を配置したものである。シール部１０２は、補強環１０４の環状部１０６を覆うとともに、フランジ部１０５の内側側面１０５ａから延びるシールリップ１０３を有し、ゴム様弾性材料（ゴムまたはゴムに類似した物性を有する材料。以下同様。）で補強環１０４に一体に成形される。オイルシール１０１全体は、シールリップ１０３を軸１０８の表面に摺接させて、機械等のハウジング１０９の取付穴に嵌め込まれて使用される。
【０００３】
オイルシール１０１を取り付けるハウジング１０９の内側Ａの内部圧力が高い場合、その圧力によりシールリップ１０３が軸１０８に強く押し付けられて、シールリップ１０３が異常に摩耗したり、変形したりすることがある。これに対し、バックアップリング１０７を設けると、シールリップ１０３にかかる圧力が、バックアップリング１０７により受け止められるので、そのような不具合が生じない。また、このような耐圧性のオイルシールは、金属製の補強環１０４のフランジ部１０５をハウジング１０９のシールストッパ１０９ａに当てて、オイルシール１０１全体にかかる内側Ａからの内部圧力を受けるようになっている。
【０００４】
【発明が解決しようとする課題】
しかしながら、このようなバックアップリング付き耐圧性オイルシールでは、ハウジング１０９の外側Ｂから異物が侵入して、バックアップリング１０７やシールリップ１０３と軸１０８との間に挟み込まれた場合には、内側Ａ内のオイル等に対するシール性能が低下することがある。そこで、そのような異物の侵入を防止するためのダストリップが必要となるが、図３に示した構造では、補強環１０４のフランジ部１０５の内周側端面にダストリップを設けようとしても、バックアップリング１０７に阻まれて、シール部１０２と一体化することができない。このため、２色成形によりダストリップをシール部１０２とは別体に成形したり、バックアップリング１０７に予めダストリップを接着しておくことも考えられるが、いずれも生産性が低下するという問題がある。そこで、補強環１０４に穴を開けて、シール部１０２を成形する際にゴム材料をその穴から流出させてダストリップを成形することもできるが、このようにすると、内部の圧力を受けた時に、シール部１０２のゴム材料がその穴からはみ出して圧力が吹き抜け、シール部１０２を破損させ、シール性を低下させる恐れがある。また、図４に示すように、補強環１１０のフランジ部１１１の内側側面１１１ａと外側側面１１１ｂとを円周方向に交互に凹凸に形成して、内側側面１１１ａに溝１１２を設け、シール部１１３の成形時に、シール部１１３のゴム材料を溝１１２に通してダストリップ１１４を形成することもできるが、この場合も同様に、内部の圧力を受けた時に、シール部１１３のゴム材料が溝１１２からはみ出して、シール性を低下させる恐れがある。
【０００５】
本発明は、このような従来の問題を解決するものであり、ダストリップの成形が容易で、シール性の高いバックアップリング付きオイルシールを提供することを目的とする。
【０００６】
【課題を解決するための手段】
本発明は、上記目的を達成するために、補強環のフランジ部の外側側面にのみ内外径方向に連通する溝を設けて、シール部の成形時にこれらの溝にゴム様弾性材料を通してダストリップを一体に成形し、フランジ部の前記溝にゴム様弾性材料が充填されるとともに、フランジ部の前記溝以外の部分においてはフランジ部の金属が露出するようにしたものであり、バックダストリップを容易に製造できるとともに、内部の圧力が高くても、ダストリップを成形するための溝がフランジ部の外側側面に形成されているので、圧力の吹き抜けがなく、さらにフランジ部の外側側面がハウジングのシールストッパに確実に当たり内部圧力の影響を受けることがほとんど無く、シール性の低下をもたらすことがない。
【０００７】
【発明の実施の形態】
本発明によるバックアップリング付きのオイルシールは、軸方向に延びる環状部とこの環状部から半径方向内側に延びるフランジ部とからなる補強環と、内周側にシールリップを有し、補強環の環状部を覆うように一体に成形されたゴム様弾性材料からなるシール部と、補強環のフランジ部の外側側面にのみ形成された内外径方向に連通する溝を通してシール部と一体に成形されたダストリップと、補強環のフランジ部の内側側面とシール部のシールリップとの間に配置されたバックアップリングとを備えたものであり、シール部の成形時に、ゴム様弾性材料をフランジ部の外側側面の溝を通してダストリップまで導くことにより、ダストリップを容易に形成することができる。また、内部の圧力が高くても、ダストリップを成形するための溝がフランジ部の外側側面に形成されているので、内部圧力の影響を受けることがほとんど無く、シール性の低下をもたらすことがない。
【０００８】
【実施例】
図１は本発明の一実施例を示している。図１において、オイルシール１は、金属製の補強環２と、ゴム様弾性材料からなるシール部３と、樹脂材料からなるバックアップリング４とを備えている。補強環２は、軸方向に延びる環状部５と、この環状部５から半径方向内側に延びるフランジ部６とからなる。フランジ部６には、図２に示すように、その外側側面にのみ、半径方向の外周側端部から内周側端部へ連続して放射状に配列された複数の溝７が設けられている。シール部３は、補強環２の環状部５を覆う取付部８と、取付部８から中心方向斜めに延びるシールリップ９と、補強環２のフランジ部６の外側側面にのみ設けた溝７を通って取付部８と一体に連続するダストリップ１０とからなる。バックアップリング４は、補強環２のフランジ部６の内側側面６ａとシール部３のシールリップ９との間に配置されている。
【０００９】
このようなオイルシールは、一般に圧縮成形等により製造され、シール部３の外形形状と同様な形状のキャビティを有する上下の金型内に補強環２および定量のゴム材料を配置して金型を閉じて加熱することにより、内部のゴム材料がキャビティ内を流動してキャビティすなわちシール部３の形状に形成される。その過程で、取付部８のゴム材料が補強環２のフランジ部６の外側側面に設けた溝７を通ってダストリップ１０のためのキャビティ内に押し出されて、ダストリップ１０が成形される。
【００１０】
このようにして成形されたオイルシール１は、ハウジング１１に取り付けられて使用された時に、内側Ａの内部圧力が高く、その圧力がシール部３にかかっても、溝７は補強環２のフランジ部６の外側側面に設けられているため、圧力を受ける取付部８の端部からダストリップ１０の付け根までの距離が長くなり、その部分のゴム材料の流動抵抗が増すので、圧力の吹き抜けを防止することができ、シール性を高めることができる。また、フランジ部６の溝７の部分にはゴム材料が充填されているが、溝７以外はフランジ部６の金属部分が露出しており、この部分がハウジング１１のシールストッパ１１ａに接触しているので、高い耐圧性能を得ることができる。
【００１１】
なおバックアップリング４は、オイルシール１を成形後に装着することもできるが、オイルシール１の成形時に、金型内にバックアップリングを配置して、オイルシール１と一体に成形した方がフィット性や生産性の上で好ましい。
【００１２】
また溝７は本実施例のように必ずしも放射状に複数設ける必要はなく、クランク状に設ける等しても良く、溝の数も１本であっても良い。
【００１３】
【発明の効果】
以上のように、本発明によるバックアップリング付きオイルシールは、補強環のフランジ部の外側側面にのみ内外径方向に連通する溝を設けて、シール部の成形時にこれらの溝を通してゴム様弾性材料を導くようにしたので、ダストリップをシール部と一体に容易に成形することができ、また内部の圧力が高くなっても、溝はフランジ部の外側側面に形成されているので、内部圧力の影響を受けることがほとんど無く、生産性およびシール性の高いバックアップリング付きオイルシールを実現することができる。
【図面の簡単な説明】
【図１】本発明の一実施例を示すバックアップリング付きオイルシールの部分断面図。
【図２】同バックアップリング付きオイルシールにおける補強環の斜視図。
【図３】従来のバックアップリング付きオイルシールの一例を示す部分断面図。
【図４】従来のバックアップリング付きオイルシールの別の例を示す部分断面図。
【符号の説明】
１  オイルシール
２  補強環
３  シール部
４  バックアップリング
５  補強環の環状部
６  補強環のフランジ部
７  補強環の溝
８  シール部の取付部
９  シール部のシールリップ
１０  シール部のダストリップ
１１  ハウジング
１１ａ  ハウジングのシールストッパ
【図１】
0003949194.tif 000002
【図２】
0003949194.tif 000003
【図３】
0003949194.tif 000004
【図４】
0003949194.tif 000005